(57)【要約】【課題】電力事業者と提携事業者とのシステム間における連携が容易でありながら需要家の個人情報を保護することが可能なポイント交換システムを提供する。【解決手段】電力事業者のポイント付与サーバから提携事業者の提携先システムへ需要家の登録状況を照会する照会情報、提携先システムからポイント付与システムへ回答する回答情報、ポイント付与サーバから提携先システムへポイント交換を依頼する処理依頼情報、および提携先システムからポイント付与システムへポイント交換の処理結果を通知する処理完了情報を送信する際に、需要家の特定には提携事業者の会員ＩＤのみを利用することで、個人情報の保護を図る。【選択図】図２０
2018124921.tif 000002
【特許請求の範囲】
【請求項１】
電力の需要家に電力使用量に応じたポイントを付与する電力事業者のポイント付与システムと、前記電力事業者とポイント交換について提携している提携事業者に設置され、通信網を介して前記ポイント付与システムと相互に通信可能に接続された提携先システムと、を備えるポイント交換システムであって、
前記ポイント付与システムは、
前記需要家に関する需要家情報と、前記電力事業者で前記需要家を識別するための需要家識別情報と、前記提携事業者で前記需要家を識別するための顧客識別情報と、前記需要家に付与されたポイントに関するポイント情報とを関連付けて管理するポイント情報管理手段と、
前記通信網を介して接続されている前記需要家の端末から、前記ポイントを前記提携事業者から提供されているサービスに交換するためのポイント交換申込みがあった場合に、前記ポイント交換申込みをした需要家の顧客識別情報と、前記ポイント交換の内容とを含む処理依頼情報を生成して前記提携先システムへ送信するポイント交換依頼手段と、
を備え、
前記提携先システムは、
顧客に関する顧客情報と、前記顧客識別情報とを関連付けて管理する顧客情報管理手段と、
前記処理依頼情報のポイント交換の内容に応じてポイント交換処理が行なわれた後に、前記顧客識別情報と、前記ポイント交換処理の処理結果とを含む処理完了情報を生成して前記ポイント付与システムへ送信する処理完了通知手段と、
を備える、
ことを特徴とするポイント交換システム。
【請求項２】
前記ポイント付与システムは、
前記需要家のうち、前記ポイントを前記提携事業者が提供するサービスに交換するためのコラボレーションメニューに加入していない需要家から、前記コラボレーションメニューへ加入するための加入申込みがあった場合に、前記需要家の提携事業者における顧客識別情報を含む照会情報を生成して前記提携先システムへ送信する加入処理手段、
を備えており、
前記提携先システムは、
前記顧客情報管理手段によって前記照会情報の顧客識別情報を確認し、前記顧客識別情報と、確認結果とを含む回答情報を生成して前記ポイント付与システムへ送信する回答手段、
を備える、
ことを特徴とする請求項１に記載のポイント交換システム。
【請求項３】
前記ポイント情報管理手段は、
前記需要家から前記ポイント交換申込みがあった場合に、前記需要家のポイント情報からポイント交換に使用するポイント数を引き去り、
前記処理完了情報の処理結果が交換不能であった場合には、前記需要家のポイント情報に引き去ったポイント数を戻す、
ことを特徴とする請求項１または２に記載のポイント交換システム。
【発明の詳細な説明】
【技術分野】
【０００１】
この発明は、電力事業者から電力の需要家に付与されたポイントを、提携事業者が提供するサービスに交換するためのポイント交換システムに関する。
【背景技術】
【０００２】
いわゆる電力自由化が進む近年においては、各電力事業者は、電力料金の適正化（低料金化）をより図るとともに、サービスの向上や多様化などを図ることが期待されている。一方、各需要家は、自己の電力使用態様や各電力事業者から提供される料金メニュー、サービスなどに基づいて、自己に最適な電力事業者を選定するとともに、使用電力の適正化（省エネ・節電）を図ることが期待される。このように、需要家がこれまで以上に電力使用や電力事業者に関心を持ち、電力需給に関わっていく（参加していく）ことが期待される。さらに、電力事業者にとっては、需要家により関心を寄せてもらい、永く安定した需給関係を築くことが望ましい。
【０００３】
このような現状から、電力事業者により、需要家の電力使用量に応じてポイントを付与するポイントサービスが開始されている。また、このポイントサービスには、需要家が選択可能なサービスメニューの１つとして、需要家が貯めたポイントを電力事業者とポイント交換について提携する提携事業者が提供するサービスに交換可能にするコラボレーションメニューが提供されている。
【０００４】
上述したように複数の事業者間で提携してポイントサービスを行なう場合、各事業者は既に独自のポイントサービスを運営している場合が多いため、各事業者のポイント管理システム同士を連携させ、ポイント交換時には会員の個人情報などをポイント管理システム間でやりとりする必要が生じる。また、事業者間でのポイント交換の際にやりとりされる会員の個人情報を保護するため、各事業者のポイント管理システムを専用線で接続したり、個人情報を暗号化処理システムにより暗号化してやりとりするのが一般的である。
【０００５】
例えば、特許文献１に記載の顧客情報同期共有サービスシステムは、各事業者のポイント管理システム間でやりとりされる会員の個人情報を保護するために、中継サーバによって各事業者のポイントシステムにおける更新情報をやりとりするとともに、会員の特定には会員の個人情報から生成したハッシュ値を用いている。
【先行技術文献】
【特許文献】
【０００６】
【特許文献１】特開２００５−０１８４８８７号公報
【発明の概要】
【発明が解決しようとする課題】
【０００７】
しかしながら、専用線や暗号化処理システム、特許文献１の中継サーバなどは、その開発や設置、運用などに多大なコストがかかるため、事業者間の提携の障壁となってしまう。特に、電力事業者が提供するコラボレーションメニューでは、提携事業者が多いほど需要家のメリットが大きくなり、電力事業者に対する需要家の関心を高めるためにも有用であるが、前述したような提携障壁があると提携事業者を増やすことが難しくなる。
【０００８】
そこでこの発明は、電力事業者と提携事業者とのシステム間における連携が容易でありながら需要家の個人情報を保護することが可能なポイント交換システムを提供することを目的とする。
【課題を解決するための手段】
【０００９】
上記課題を解決するために、請求項１に記載の発明は、電力の需要家に電力使用量に応じたポイントを付与する電力事業者のポイント付与システムと、前記電力事業者とポイント交換について提携している提携事業者に設置され、通信網を介して前記ポイント付与システムと相互に通信可能に接続された提携先システムと、を備えるポイント交換システムであって、前記ポイント付与システムは、前記需要家に関する需要家情報と、前記電力事業者で前記需要家を識別するための需要家識別情報と、前記提携事業者で前記需要家を識別するための顧客識別情報と、前記需要家に付与されたポイントに関するポイント情報とを関連付けて管理するポイント情報管理手段と、前記通信網を介して接続されている前記需要家の端末から、前記ポイントを前記提携事業者から提供されているサービスに交換するためのポイント交換申込みがあった場合に、前記ポイント交換申込みをした需要家の顧客識別情報と、前記ポイント交換の内容とを含む処理依頼情報を生成して前記提携先システムへ送信するポイント交換依頼手段と、を備え、前記提携先システムは、顧客に関する顧客情報と、前記顧客識別情報とを関連付けて管理する顧客情報管理手段と、前記処理依頼情報のポイント交換の内容に応じてポイント交換処理が行なわれた後に、前記顧客識別情報と前記ポイント交換処理の処理結果とを含む処理完了情報を生成して前記ポイント付与システムへ送信する処理完了通知手段と、を備える、ことを特徴とするポイント交換システムである。
【００１０】
請求項１のポイント交換システムによれば、需要家の端末から電力事業者のポイント付与システムへ、所有しているポイントを提携事業者から提供されているサービスに交換するためのポイント交換申込みがされると、ポイント付与システムは、ポイント情報管理手段によってポイント交換申込みをした需要家の顧客識別情報を確認し、次いで、ポイント交換依頼手段により、確認された顧客識別情報と、ポイント交換の内容とを含む処理依頼情報を生成して提携先システムへ送信する。提携先システムは、処理依頼情報を受信すると、顧客情報管理手段によって処理依頼情報の顧客識別情報を確認し、処理依頼情報のポイント交換内容に応じたポイント交換処理が行なわれた後に、処理完了通知手段によって、顧客識別情報と、ポイント交換処理の処理結果とを含む処理完了情報を生成してポイント付与システムへ送信する。
【００１１】
請求項２に記載の発明は、請求項１に記載のポイント交換システムにおいて、前記ポイント付与システムは、前記需要家のうち、前記ポイントを前記提携事業者が提供するサービスに交換するためのコラボレーションメニューに加入していない需要家から、前記コラボレーションメニューへ加入するための加入申込みがあった場合に、前記需要家の提携事業者における顧客識別情報を含む照会情報を生成して前記提携先システムへ送信する加入処理手段、を備えており、前記提携先システムは、前記顧客情報管理手段によって前記照会情報の顧客識別情報を確認し、前記顧客識別情報と確認結果とを含む回答情報を生成して前記ポイント付与システムへ送信する回答手段、を備える、ことを特徴としている。
【００１２】
請求項３に記載の発明は、請求項１または２に記載のポイント交換システムにおいて、前記ポイント情報管理手段は、前記需要家の端末から前記ポイント交換申込みがあった場合に、前記需要家のポイント情報からポイント交換に使用するポイント数を引き去り、前記処理完了情報の処理結果が交換不能であった場合には、前記需要家のポイント情報に引き去ったポイント数を戻す、ことを特徴とする。
【発明の効果】
【００１３】
請求項１に記載の発明によれば、ポイント付与システムから提携先システムへポイント交換を依頼する際に、需要家の提携事業者における顧客識別情報およびポイント交換の内容を含む処理依頼情報を送信するので、処理依頼情報が盗聴されても顧客識別情報しか分からないので、需要家を特定することはできない。また、提携先システムからポイント付与システムへポイント交換の結果を通知する際に、需要家の顧客識別情報および処理結果を含む処理完了情報を送信するので、処理完了情報が盗聴されても顧客識別情報しか分からないので、需要家を特定することはできない。したがって、インターネットなどの通信網を利用してポイント付与システムと提携先システムとの間でポイント交換について連携を行う場合でも、需要家の個人情報が漏洩するのを適切に防ぐことが可能となる。
【００１４】
また、専用線や暗号化システムなどの情報漏洩防止システムが不要になるので、ポイント付与システムと提携先システムとの連携が容易になり、電力事業者と提携事業者との提携が行ないやすくなる。これにより、提携事業者が増えて需要家のメリットが大きくなるので、電力事業者に対する需要家の関心を高めることが可能となり、需要家と電力事業者との間で永く安定した需給関係を築くことも可能となる。
【００１５】
請求項２に記載の発明によれば、需要家がコラボレーションメニューに加入する場合にポイント付与システムから提携先システムへ需要家の登録状況を照会する際に、需要家の顧客識別情報を含む照会情報を送信するようにしたので、照会情報が盗聴されても顧客識別情報しか分からないので、需要家を特定することはできない。また、提携先システムからポイント付与システムへ需要家の登録状況を回答する際に、需要家の顧客識別情報を含む回答情報を送信するようにしたので、回答情報が盗聴されても顧客識別情報しか分からないので、需要家を特定することはできない。したがって、コラボレーションメニューへの加入時でも、専用線や暗号化システムなどの情報漏洩防止システムを利用することなく需要家の個人情報が漏洩するのを適切に防ぐことが可能となる。
【００１６】
請求項３に記載の発明によれば、需要家の端末からポイント交換申込みがあった時点でポイント情報からポイント交換に使用されるポイント数を引き去るようにしたので、ポイント情報を常に最新の状態に保っておくことが可能となる。したがって、需要家が時間を置かずに連続してポイント交換申込みを行った場合でも最新のポイント情報に基づいてポイント交換を行なうことが可能となる。また、提携先システムから通知された処理完了情報の処理結果が交換不能であった場合には、需要家のポイント情報に引き去ったポイント数を戻すようにしたので、ポイント情報が誤って更新されるのを防ぐことができ、正確なポイント情報に基づくポイント交換が可能となる。
【図面の簡単な説明】
【００１７】
【図１】この発明の実施の形態に係るポイント交換システムを示す概略構成図である。
【図２】ポイント付与システムの構成を示す概略構成ブロック図である。
【図３】ポイント付与システムのウェブサーバの構成を示す概略構成ブロック図である。
【図４】ポイント付与システムの需要家情報を示す説明図である。
【図５】ポイント付与システムのポイント情報を示す説明図である。
【図６】電力事業者が提供するポイントサービスへのログイン画面を示す図である。
【図７】電力事業者のウェブサービスで需要家ごとに提供されるマイページを示す図である。
【図８】図７に示すマイページから移動したポイントサービスのトップ画面を示す図である。
【図９】ポイントサービスのコラボレーションメニューを紹介する紹介ページを示す図である。
【図１０】コラボレーションメニューへ加入するための加入ページを示す図である。
【図１１】コラボレーションメニュー加入時の照会情報を示す説明図である。
【図１２】コラボレーションメニューのポイント交換画面を示す図である。
【図１３】コラボレーションメニューのポイント交換申込み画面を示す図である。
【図１４】コラボレーションメニューのポイント交換の処理依頼情報を示す説明図である。
【図１５】提携先システムの構成を示す概略構成ブロック図である。
【図１６】提携先システムのポイントサーバの構成を示す概略構成ブロック図である。
【図１７】コラボレーションメニュー加入時の回答情報を示す説明図である。
【図１８】コラボレーションメニューのポイント交換の処理完了情報を示す説明図である。
【図１９】コラボレーションメニューの加入手順を示すフローチャートである。
【図２０】コラボレーションメニューのポイント交換の処理手順を示すフローチャートである。
【発明を実施するための形態】
【００１８】
以下、この発明を図示の実施の形態に基づいて説明する。
【００１９】
図１は、この発明の実施の形態に係る電力需要家向けのポイント交換システム１を示す概略構成図である。このポイント交換システム１は、電力事業者から電力の需要家に対して電力使用量に応じたポイントを付与し、需要家が貯めたポイントを電力事業者とポイント交換について提携している提携事業者のサービスに交換するためのシステムである。
【００２０】
ここで、この実施の形態では、電力事業者が需要家に対して電力使用に関する情報などを提供するウェブサービスの一環としてポイントサービスを提供するものであり、このポイントサービスにおいて需要家が選択可能なサービスメニューの１つとして、需要家が貯めたポイントを提携事業者が提供するサービスに交換可能にするコラボレーションメニューが設けられている場合について説明する。また、需要家は、電力事業者のポイントサービスと、提携事業者が独自に運営しているポイントサービスとに加入済みであり、コラボレーションメニューからこの提携事業者とポイント交換を行うサービスに加入し、ポイント交換を行なう場合について説明する。
【００２１】
ポイント交換システム１は、電力の需要家に電力使用量に応じたポイントを付与する電力事業者のポイント付与システム２と、電力事業者とポイント交換について提携している提携事業者に設置され、インターネット（通信網）ＮＷを介してポイント付与システム２と相互に通信可能に接続されている提携先システム３と、を備える。ポイント付与システム２は、需要家の端末（以下、需要家端末という）４からインターネットＮＷを介してアクセス可能となっている。
【００２２】
需要家端末４は、需要家が操作する端末であって、パーソナルコンピュータやスマートフォン（多機能携帯端末）などを含み、インターネットＮＷなどの通信網を介してポイント付与システム２などと通信自在となっている。
【００２３】
ポイント付与システム２は、図２に示すように、各需要家端末４がアクセス可能な電力事業者のウェブサーバ２１と、各需要家の電力使用量を記憶する電力使用量サーバ２２と、電力事業者の担当者によって操作される端末２３および通信インターフェース（通信ＩＦ）２４とを備えている。通信Ｉ／Ｆ２４は、ウェブサーバ２１とインターネットＮＷとを安全に接続するための装置（例えばファイやウォールなど）である。
【００２４】
電力使用量サーバ２２は、各需要家の毎月（所定期間）の電力使用量や電力料金などを記憶するサーバであり、この実施の形態では、検針データを収集するコンピュータ・サーバから定期的に検針データを受信することで、毎月の電力使用量や電力料金を算出、管理する。これに対して、電力使用量や電力料金を算出したりする他のコンピュータ・サーバから毎月の電力使用量等を受信して記憶してもよく、結果的に毎月の電力使用量や電力料金を記憶していればよい。また、需要家が電力事業者と複数の契約をしている場合には、契約ごとに毎月の電力使用量や電力料金を記憶する。
【００２５】
ウェブサーバ２１は、電力事業者のウェブサービスを提供するサーバであり、図３に示すように、主として、メモリ２１１と、需要家データベース（ポイント情報管理手段）２１２と、メインタスク２１３と、これらを制御などする中央処理部２１４と、を備える。
【００２６】
メモリ２１１は、各種情報・データを記憶する記憶部であり、例えば、後述するようにしてコラボレーションメニューへの加入時に需要家によって入力された情報や、提携先システム３から受信した情報などを記憶する。
【００２７】
需要家データベース（需要家ＤＢ）２１２は、各需要家に関する情報を記憶したデータベースであり、図４に示す需要家情報２１２ａと、図５に示すポイント情報２１２ｂとを関連づけて管理している。
【００２８】
需要家情報２１２ａは、例えば需要家の電力事業者における契約番号と、氏名、住所、電話番号などの他、契約名義、契約種別、需要家のメールアドレスなどが登録されている。また、需要家情報２１２ａには、電力事業者のウェブサービスに関する情報も登録されており、例えば、ウェブサービスの会員ＩＤ（需要家識別情報、以下ウェブＩＤという）、ウェブサービスへログインする際のパスワード、ウェブサービス内のポイントサービスで加入しているコラボレーションメニューの種類、コラボレーションメニューへの加入年月日などが登録されている。また、コラボレーションメニューとして、提携事業者とのポイント交換が選択されている場合には、その提携事業者のポイントサービスにおけるコラボ先の会員ＩＤ（顧客識別情報、以下会員ＩＤという）も登録されている。
【００２９】
ポイント情報２１２ｂは、需要家のウェブ会員ＩＤ、氏名とともに、ポイントの取得および利用などの内容、取得または利用したポイント数、取得または利用した年月日、累積ポイント数（現在の所有ポイント数）などが登録されている。このように、この実施の形態では、ウェブサーバ２１に需要家データベース２１２を備えているが、需要家データベース２１２のデータのすべてまたは一部を他のコンピュータ・サーバに記憶し、必要に応じてウェブサーバ２１が他のコンピュータ・サーバから取得するようにしてもよい。
【００３０】
メインタスク２１３は、ウェブサービスを提供、運営するためのタスク・プログラム群であり、この実施の形態では、電力事業者のウェブサイトのうち、各需要家にポイントを付与するポイントサービス・サイトを提供するためのタスクについて、主として説明する。このメインタスク２１３は、主として、登録タスク２１３ａと、使用量ポイントタスク２１３ｂと、加入タスク（加入処理手段）２１３ｃと、交換依頼タスク（ポイント交換依頼手段）２１３ｄと、ポイント管理タスク（ポイント情報管理手段）２１３ｅなどを備える。
【００３１】
登録タスク２１３ａは、需要家が電力事業者のウェブサービス（ポイントサービス）に加入するためのタスク・プログラムである。以下では、ウェブサービスに加入後の需要家がコラボレーションメニューに加入する場合について説明するので、この登録タスク２１３ａについての詳しい説明は省略する。
【００３２】
メインタスク２１３は、まず、図６に示すようなウェブサービスへのログイン画面・ページを需要家端末４に表示させ、予め登録されたログイン用のＩＤ（上述のウェブＩＤ）とパスワードが入力されると、図７に示すような、需要家ごとのマイページを需要家端末４に表示させる。このマイページには、需要家の氏名やウェブＩＤ、契約住所などとともに、直近の月度の電力使用量、請求額、現在有効なポイント数などが表示される。ここで、ウェブＩＤとパスワードは、電力事業者によるウェブサービスを受けることを、予め登録している会員に与えられるものである。
【００３３】
使用量ポイントタスク２１３ｂは、実際の電力使用量に基づいて需要家にポイントを付与するタスク・プログラムであり、この実施の形態では、電力使用量に対応する（電力使用量に基づく）電力料金に従ってポイントを付与する。すなわち、当月の電力使用量および電力料金が確定すると、確定した各契約番号の電力料金を電力使用量サーバ２２から取得し、この電力料金に基づいてポイントを算出して各需要家に付与する。このとき、この実施の形態では、単位電力料金（例えば、２００円）ごとに所定のポイントを付与する。そして、付与したポイントを、需要家データベース２１２のポイント情報２１２ｂに該需要家に関連付けて記憶するとともに、現在有効なポイント数に加算、記憶する。
【００３４】
ここで、電力料金の取得方法は、どのような方法であってもよい。例えば、電力使用量と電力料金が確定した後に、確定した電力使用量等を通知する検針通知を電力使用量サーバ２２からウェブサーバ２１に送信してもよいし、電力使用量等が確定した後に、ウェブサーバ２１から電力使用量サーバ２２にアクセスして確定した電力使用量等を取得するようにしてもよく、さらには、他のデータベースやコンピュータ・サーバを介して電力使用量等を取得してもよい。ところで、電力使用量に対応する電力料金に基づいてポイントを算出、付与しているが、電力使用量に基づいて直接ポイントを算出して付与するようにしてもよい。
【００３５】
メインタスク２１３は、図７に示すマイページから、ポイントサービスに関する情報を提供するウェブサイト（以下、ポイントサイトという）へ移動するためのボタンが操作されると、図８に示すポイントサイトのトップページを需要家端末４に表示させる。このポイントサイトのトップページには、需要家の現在有効なポイント数や、ポイント履歴を確認するためのボタン、コラボレーションメニューへの加入状況などの他、ポイントが貯められる各種コンテンツ（ミニゲームやクイズなど）を紹介するためのバナーなどが表示される。
【００３６】
ここで、コラボレーションメニューとは、本ポイントサービスにおいて、提携事業者と連係してポイントサービスを行うサービスメニューの１つで、電力事業者から付与されたポイントを提携事業者のポイントや商品券、物品などの各種サービスに交換可能なメニューである。ポイントサイトのトップページでコラボレーションメニューのボタンが選択されると、図９に示す、コラボレーションメニューの紹介ページが需要家端末４に表示される。そして、このコラボレーションメニューの紹介ページでいずれかのコラボレーションメニューが選択されると、そのメニューのサービス内容や加入ボタンなどが需要家端末４に表示される。ここで、いずれかのコラボレーションメニューに加入すると、加入日から所定期間（例えば、１年間）は、本メニューを辞めたり、他のコラボレーションメニューに加入・変更したりできないものとする。
【００３７】
加入タスク２１３ｃは、図９のコラボレーションメニューの紹介ページでコラボレーションメニューが選択され、さらに、加入ボタンが選択されると起動され、コラボレーションメニューへの加入処理を行うタスク・プログラムである。加入タスク２１３ｃは、図１０に示す加入ページを需要家端末４に表示させ、提携事業者のポイントサービスの会員ＩＤを入力させる。そして、加入タスク２１３ｃは、登録申込確認のためのボタンが操作されると、図１１に示すように、入力された提携先の会員ＩＤを含む照会情報を生成し、生成した照会情報を提携先システム３に送信する。そして、提携先システム３で照会情報の会員ＩＤが確認された場合には、コラボレーションメニューへの加入登録を行なう。このコラボレーションメニューへの加入登録は、需要家データベース２１２へ提携先の会員ＩＤを登録することにより行なわれる。また、需要家端末４には、加入完了を知らせるページを表示させる。
【００３８】
交換依頼タスク２１３ｄは、需要家端末４から所有するポイントをコラボレーションメニューの提携事業者から提供されているサービスに交換するためのポイント交換申込みを受け付けるとともに、提携先システム３へポイントを交換するための処理依頼を行なうタスク・プログラムである。コラボレーションメニューへの加入後に、図８に示すポイントサイトのトップページから、ポイント交換をするためのページへ移動するボタンが操作されると、図１２に示すポイント交換ページを需要家端末４に表示させる。このポイント交換ページには、電力事業者のポイントを提携事業者のポイントと交換する「ポイント交換」や、提携事業者の商品券と交換する「商品券と交換」などのメニューが選択可能に表示される。例えば、「ポイント交換」ボタンが操作されると、図１３に示す交換ポイント入力ページを需要家端末４に表示させ、交換するポイント数を入力させる。交換依頼タスク２１３ｄは、交換ポイント入力ページで交換ボタンが操作されると、図１４に示すように、需要家の提携先の会員ＩＤと、ポイントの交換内容（例えば、「電力事業者から付与されたポイントを提携事業者のポイントに交換」や、「商品券と交換」など）と、交換するポイント数とを含む処理依頼情報を生成し、提携先システム３へ送信する。また、需要家端末４には、ポイント交換の完了を知らせるページを表示させる。
【００３９】
ポイント管理タスク２１３ｅは、ポイントの取得結果、ポイント交換の結果などに基づいてポイント情報２１２ｂを更新するタスク・プログラムである。ポイント管理タスク２１３ｅは、需要家端末４からポイント交換申込みがあった場合に、需要家のポイント情報２１２ｂからポイント交換に使用するポイント数を引き去り、提携先システム３でのポイント交換の結果に基づいて、ポイント情報２１２ｂを確定する。すなわち、ポイント交換の結果が「交換完了（ポイント交換の処理が適切に完了）」であった場合には、ポイント数を引き去った状態でポイント情報２１２ｂを確定し、ポイント交換の結果が「交換不能（例えば残高不足などでポイント交換の処理ができない）」であった場合には、需要家のポイント情報に引き去ったポイント数を戻して確定する。
【００４０】
提携先システム３は、図１５に示すように、ポイント交換などの処理を行なうポイントサーバ３１と、提携事業者の担当者によって操作される端末３２および通信インターフェース（通信ＩＦ）３３とを備えている。通信Ｉ／Ｆ３３は、ポイントサーバ３１とインターネットＮＷとを安全に接続するための装置（例えばファイやウォールなど）である。
【００４１】
ポイントサーバ３１は、提携事業者でポイントサービスを処理するためのサーバであり、本実施の形態では、電力事業者からのポイント交換を処理するためのサーバとして機能する。ポイントサーバ３１は、図１６に示すように、主として、メモリ３１１と、会員データベース（顧客情報管理手段）３１２と、メインタスク３１３と、これらを制御などする中央処理部３１４と、を備える。
【００４２】
メモリ３１１は、各種情報・データを記憶する記憶部であり、例えば、ポイント付与システム２から受信したポイント交換申込みのための処理依頼情報などを記憶する。会員データベース（会員ＤＢ）３１２は、提携事業者のポイントサービスに加入している顧客（提携先会員）に関する情報を記憶したデータベースであり、例えば会員ＩＤ（提携先会員ＩＤ）と、氏名、住所、電話番号などの他、メールアドレス、提携事業者におけるポイント情報なども登録されている。
【００４３】
メインタスク３１３は、提携事業者でポイントサービスを運営するためのタスク・プログラム群であり、この実施の形態では、電力事業者とポイント交換を行なうためのタスクについて、主として説明する。このメインタスク３１３は、主として、回答タスク（回答手段）３１３ａと、ポイント交換タスク３１３ｂと、処理完了通知タスク（処理完了通知手段）３１３ｃなどを備える。
【００４４】
回答タスク３１３ａは、ウェブサーバ２１の加入タスク２１３ｃによって送信された照会情報を受信した場合に、回答を行なうタスク・プログラムである。回答タスク３１３ａは、照会情報を受信すると、照会情報に含まれる会員ＩＤが会員データベース３１２に登録されているか否かを確認し、図１７に示すように、確認した会員ＩＤと確認結果とを含む回答情報を生成してウェブサーバ２１へ送信する。確認結果は、例えば、「登録あり」、「登録無し」などである。
【００４５】
ポイント交換タスク３１３ｂは、ウェブサーバ２１の交換依頼タスク２１３ｄによって送信された処理依頼情報を受信した場合に、ポイント交換を行なうタスク・プログラムである。ポイント交換タスク３１３ｂは、ポイント交換の処理が依頼されると、会員データベース３１２を更新してポイント交換処理を行なう。例えば、ポイント交換の内容が、電力事業者のポイントから提携事業者へのポイント交換である場合には、会員データベース３１２の対象となる会員のポイント数を依頼された交換ポイント数に基づいて更新する。
【００４６】
処理完了通知タスク３１３ｃは、ポイント交換処理の結果をウェブサーバ２１に通知するタスク・プログラムである。処理完了通知タスク３１３ｃは、図１８に示すように、処理依頼された会員ＩＤと、処理結果とを含む処理完了情報を生成してウェブサーバ２１に送信する。処理結果は、例えば、「交換完了（ポイント交換の処理が適切に完了）」、「交換不能（例えば残高不足などでポイント交換の処理ができない）」などである。
【００４７】
次に、このような構成の電力需要家向けポイント交換システム１における、コラボレーションメニューへの加入処理の手順について説明する。
【００４８】
図１９に示すように、まず需要家端末４からログイン画面・ページにウェブＩＤおよびパスワードが入力されてログイン要求されると（ステップＳ１）、ポイント付与システム２のウェブサーバ２１は、需要家端末４にマイページを表示させる（ステップＳ２）。また、需要家端末４により、マイページからポイントサービスのページへの移動が要求されると（ステップＳ３）、ウェブサーバ２１は、需要家端末４にポイントサービスのトップページを表示させる（ステップＳ４）。需要家端末４により、ポイントサービスページでコラボレーションメニューへの加入が要求されると（ステップＳ５）、ウェブサーバ２１は、需要家端末４に加入ページを表示させ（ステップＳ６）、提携事業者の会員ＩＤを入力させる（ステップＳ７）。
【００４９】
ウェブサーバ２１は、加入ページで入力された提携事業者の会員ＩＤを含む照会情報を生成し、提携先システム３へ送信する（ステップＳ８）。提携先システム３のポイントサーバ３１は、照会情報の会員ＩＤを会員データベース３１２から確認し、会員ＩＤと確認結果とを含む回答情報を生成してウェブサーバ２１に送信する。（ステップＳ９）。ウェブサーバ２１は、回答情報に基づいてコラボレーションメニューへの加入処理を行なう（ステップＳ１０）。
【００５０】
次に、コラボレーションメニューによるポイント交換処理の手順について説明する。
【００５１】
図２０に示すように、需要家端末４からログイン画面・ページにウェブＩＤおよびパスワードが入力されてログイン要求されると（ステップＳ１１）、ポイント付与システム２のウェブサーバ２１は、需要家端末４にマイページを表示させる（ステップＳ１２）。また、需要家端末４により、マイページからポイントサービスのページへの移動が要求されると（ステップＳ１３）、ウェブサーバ２１は、需要家端末４にポイントサービスのトップページを表示させる（ステップＳ１４）。需要家端末４により、ポイントサービスページでコラボレーションメニューによるポイント交換が選択されると（ステップＳ１５）、ウェブサーバ２１は、需要家端末４にポイント交換ページを表示させる（ステップＳ１６）。
【００５２】
需要家端末４により、ポイント交換ページでポイント交換の内容が選択され、交換するポイント数が入力されて、ポイント交換申込みがされると（ステップＳ１７）、ウェブサーバ２１は、ポイント交換申込みの内容に基づいてポイント情報２１２ｂの更新を行なう（ステップＳ１８）。すなわち、需要家のポイント情報２１２ｂから使用ポイント数を引き去る。次いで、ウェブサーバ２１は、提携事業者の会員ＩＤ、ポイント交換の内容および使用ポイント数を含む処理依頼情報を生成し、提携先システム３に送信する（ステップＳ１９）。
【００５３】
提携先システム３のポイントサーバ３１は、処理依頼情報に基づいてポイント交換処理を行い（ステップＳ２０）、会員ＩＤと処理結果とを含む処理完了情報をウェブサーバ２１に送信する（ステップＳ２１）。ウェブサーバ２１は、処理完了情報に基づいてポイント情報２１２ｂを確定する（ステップＳ２２）。すなわち、ポイント交換が不能であった場合には、ポイント情報２１２ｂに引き去ったポイント数を戻して確定する。ウェブサーバ２１は、ポイント交換の結果を画面として需要家端末４に表示したり、メールで通知する（ステップＳ２３）。
【００５４】
以上で説明したように、本実施の形態のポイント交換システム１によれば、ポイント付与システム２から提携先システム３へポイント交換を依頼する際に、需要家の提携事業者における会員ＩＤ（顧客識別情報）およびポイント交換の内容を含む処理依頼情報を送信するので、処理依頼情報が盗聴されても会員ＩＤしか分からないので、需要家を特定することはできない。また、提携先システム３からポイント付与システム２へポイント交換の結果を通知する際に、需要家の会員ＩＤおよび処理結果を含む処理完了情報を送信するので、処理完了情報が盗聴されても会員ＩＤしか分からないので、需要家を特定することはできない。したがって、インターネットＮＷなどの通信網を利用してポイント付与システム２と提携先システム３との間でポイント交換について連携を行う場合でも、需要家の個人情報が漏洩するのを適切に防ぐことが可能となる。
【００５５】
また、専用線や暗号化システムなどの情報漏洩防止システムが不要になるので、ポイント付与システム２と提携先システム３との連携が容易になり、電力事業者と提携事業者との提携が行ないやすくなる。これにより、提携事業者が増えて需要家のメリットが大きくなるので、電力事業者に対する需要家の関心を高めることが可能となり、需要家と電力事業者との間で永く安定した需給関係を築くことも可能となる。
【００５６】
また、需要家がコラボレーションメニューに加入する際に、ポイント付与システム２から提携先システム３へ需要家の登録状況を照会する際には、需要家の会員ＩＤを含む照会情報を送信するようにしたので、照会情報が盗聴されても会員ＩＤしか分からないので、需要家を特定することはできない。また、提携先システム３からポイント付与システム２へ需要家の登録状況を回答する際に、需要家の会員ＩＤを含む回答情報を送信するようにしたので、回答情報が盗聴されても会員ＩＤしか分からないので、需要家を特定することはできない。したがって、コラボレーションメニューへの加入時でも、専用線や暗号化システムなどの情報漏洩防止システムを利用することなく需要家の個人情報が漏洩するのを適切に防ぐことが可能となる。
【００５７】
さらに、需要家端末４からポイント交換申込みがあった時点でポイント情報２１２ｂからポイント交換に使用されるポイント数を引き去るようにしたので、ポイント情報２１２ｂを常に最新の状態に保っておくことが可能となる。したがって、需要家が時間を置かずに連続してポイント交換申込みを行った場合でも最新のポイント情報２１２ｂに基づいてポイント交換を行なうことが可能となる。また、提携先システム３から通知された処理完了情報の処理結果が交換不能であった場合には、需要家のポイント情報２１２ｂに引き去ったポイント数を戻すようにしたので、ポイント情報２１２ｂが誤って更新されるのを防ぐことができ、正確なポイント情報２１２ｂに基づくポイント交換が可能となる。
【００５８】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、提携事業者を１社として説明したが、複数の提携事業者に対して同様にポイントサービスの連携を行なうことが可能である。また、提携先システム３で会員ＩＤの照会結果の回答や、ポイント交換の完了通知を自動で送信するようにしたが、コラボレーションメニューへの加入やポイント交換の頻度が低い提携事業者では、担当者が手動で回答、完了通知を送信する場合も本発明に含まれる。さらに、電力事業者のポイント交換システムについて説明したが、電力事業者以外の他の業種におけるポイント交換システムにも適用可能である。
【符号の説明】
【００５９】
１          ポイント交換システム
２          ポイント付与システム
２１        ウェブサーバ
２１２      需要家データベース（ポイント情報管理手段）
２１２ａ    需要家情報
２１２ｂ    ポイント情報
２１３      メインタスク
２１３ａ    登録タスク
２１３ｂ    使用量ポイントタスク
２１３ｃ    加入タスク（加入処理手段）
２１３ｄ    交換依頼タスク（ポイント交換依頼手段）
２１３ｅ    ポイント管理タスク（ポイント情報管理手段）
２２        電力使用量サーバ
３          提携先システム
３１        ポイントサーバ
３１２      会員データベース（顧客情報管理手段）
３１３      メインタスク
３１３ａ    回答タスク（回答手段）
３１３ｂ    ポイント交換タスク
３１３ｃ    処理完了通知タスク（処理完了通知手段）
４          需要家端末
【図１】
2018124921.tif 000003
【図２】
2018124921.tif 000004
【図３】
2018124921.tif 000005
【図４】
2018124921.tif 000006
【図５】
2018124921.tif 000007
【図６】
2018124921.tif 000008
【図７】
2018124921.tif 000009
【図８】
2018124921.tif 000010
【図９】
2018124921.tif 000011
【図１０】
2018124921.tif 000012
【図１１】
2018124921.tif 000013
【図１２】
2018124921.tif 000014
【図１３】
2018124921.tif 000015
【図１４】
2018124921.tif 000016
【図１５】
2018124921.tif 000017
【図１６】
2018124921.tif 000018
【図１７】
2018124921.tif 000019
【図１８】
2018124921.tif 000020
【図１９】
2018124921.tif 000021
【図２０】
2018124921.tif 000022